(57)【要約】【課題】ダストカップに複雑な機構を設けることなく、ダストカップの内部または掃除機本体の外側のいずれにもイオンを含む空気流を放出可能な電気掃除機を提供する。【解決手段】吸引ホースおよび掃除機本体を備え、前記掃除機本体は、前記吸引ホースが接続され吸込んだ空気から塵埃を分離して集塵する集塵ユニットと、前記吸引ホースから前記集塵ユニットを介して空気を吸引して排出口から排出する電動送風機と、イオンを発生するイオン発生室とを備え、前記電動送風機、前記集塵ユニットおよび前記排出口は、前記集塵ユニットを間に挟んで配置され、前記イオン発生室は、前記吸引ホースと、前記集塵ユニットおよび前記電動送風機を結ぶ吸気路との近傍に配置され、前記吸引ホースを介して前記集塵ユニットにイオンを含む空気を供給する第１連通路と、前記吸気路を介して前記電動送風機にイオンを含む空気を供給する第２連通路とを有することを特徴とする電気掃除機。【選択図】図９
2015159977.tif 000002
【特許請求の範囲】
【請求項１】
吸引ホースおよび掃除機本体を備え、前記掃除機本体は、前記吸引ホースが接続され吸込んだ空気から塵埃を分離して集塵する集塵ユニットと、前記吸引ホースから前記集塵ユニットを介して空気を吸引して排出口から排出する電動送風機と、イオンを発生するイオン発生室とを備え、
前記電動送風機、前記集塵ユニットおよび前記排出口は、前記集塵ユニットを間に挟んで配置され、
前記イオン発生室は、前記吸引ホースと、前記集塵ユニットおよび前記電動送風機を結ぶ吸気路との近傍に配置され、前記吸引ホースを介して前記集塵ユニットにイオンを含む空気を供給する第１連通路と、前記吸気路を介して前記電動送風機にイオンを含む空気を供給する第２連通路とを有することを特徴とする電気掃除機。
【請求項２】
前記イオン発生室は、前記吸引ホースの上部かつ前記集塵ユニットの前部に設けられ、少なくとも１つのイオン発生素子、外部から空気を導入するための導入口、前記第１連通路に通じる第１導出口および前記第２連通路に通じる第２導出口を備え、
前記イオン発生素子は、前記導入口と、前記第１導出口および前記第２導出口との間に設置される請求項１に記載の電気掃除機。
【請求項３】
前記イオン発生室は、空気流を一部遮断する仕切り板を備え、
前記仕切り板は、前記イオン発生素子と、前記第１導出口および前記第２導出口との間において、前記導入口から前記第１導出口および前記第２導出口に直線状に流れる空気流を遮断する位置に設けられる請求項２に記載の電気掃除機。
【請求項４】
前記イオン発生室は、前記掃除機本体に着脱可能に設けられる請求項１〜３のいずれか１つに記載の電気掃除機。
【請求項５】
前記イオン発生室は、イオンを含む空気流を前記集塵ユニットまたは前記電動送風機のいずれか一方に選択的に供給するための切換部を備える請求項１〜４のいずれか１つに記載の電気掃除機。
【発明の詳細な説明】
【技術分野】
【０００１】
この発明は電気掃除機に関する。
【背景技術】
【０００２】
電気掃除機には、イオン発生素子を備え、掃除機の動作中にイオン発生器より発生されたイオンを空気流中に供給し、空気流中の浮遊菌を殺菌する電気掃除機が知られている（例えば、特許文献１参照）。
このようなイオン発生素子を備えた電気掃除機には、さらに切換部を備え、イオン発生器から発生したイオンを含む吸気が流れる方向を切換部で切り換えることによって、イオン発生素子から塵埃捕集室の内部または掃除機本体の外方のいずれか一方にイオンを放出する電気掃除機も知られている（例えば、特許文献２参照）。
【先行技術文献】
【特許文献】
【０００３】
【特許文献１】特開２００３−１５３８３１号公報
【特許文献２】特開２０１２−０７５９１３号公報
【発明の概要】
【発明が解決しようとする課題】
【０００４】
特許文献２の電気掃除機のように、イオンを含む吸気を導入させるイオン導入路とその切り換え機構をダストカップ側に形成する場合、ダストカップの構造が複雑になり、コスト面で問題が生じることがある。また、ダストカップにイオン導入路を形成すると、ダストカップが大きくなって重量が増すため、掃除機本体からダストカップを取り外した際に、ダストカップの取扱いに不便なことがある。また、ダストカップに電気的な配線や接点を設けると、ダストカップを水洗いできないことがある。さらに、イオン発生器が掃除機本体の奥深くにあるため、イオン発生器の交換の必要が生じたときに、手軽に交換できないことがある。
【０００５】
この発明は、このような事情を考慮してなされたもので、ダストカップに複雑な機構を設けることなく、ダストカップの内部または掃除機本体の外側のいずれにもイオンを含む空気流を放出可能な電気掃除機を提供することを目的とする。
【課題を解決するための手段】
【０００６】
この発明は、吸引ホースおよび掃除機本体を備え、前記掃除機本体は、前記吸引ホースが接続され吸込んだ空気から塵埃を分離して集塵する集塵ユニットと、前記吸引ホースから前記集塵ユニットを介して空気を吸引して排出口から排出する電動送風機と、イオンを発生するイオン発生室とを備え、前記電動送風機、前記集塵ユニットおよび前記排出口は、前記集塵ユニットを間に挟んで配置され、前記イオン発生室は、前記吸引ホースと、前記集塵ユニットおよび前記電動送風機を結ぶ吸気路との近傍に配置され、前記吸引ホースを介して前記集塵ユニットにイオンを含む空気を供給する第１連通路と、前記吸気路を介して前記電動送風機にイオンを含む空気を供給する第２連通路とを有することを特徴とする電気掃除機を提供するものである。
【発明の効果】
【０００７】
この発明によれば、電動送風機、集塵ユニットおよび排出口が、集塵ユニットを間に挟んで配置されるように掃除機本体を構成した上で、イオン発生室を吸引ホースと、集塵ユニットおよび電動送風機とを結ぶ吸気路との近傍に配置することにより、吸引ホースおよび吸気路を介して、それぞれ集塵ユニットおよび電動送風機にイオンを含む空気を直接供給することができるため、ダストカップに複雑な構造を設けることなく、ダストカップの内部または掃除機本体の外側のいずれにもイオンを含む空気流を放出可能な電気掃除機を提供することができる。
【図面の簡単な説明】
【０００８】
【図１】この発明の実施形態１に係る電気掃除機の外観斜視図である。
【図２】実施形態１の電気掃除機における掃除機本体の斜視図である。
【図３】図２に示す掃除機本体の外観カバーを一部除いた状態を示す一部切り欠き斜視図である。
【図４】図３に示すイオン発生素子の取り付け位置を示す一部切り欠き斜視図である。
【図５】図３に示すイオン発生素子の取り付け位置を示す一部切り欠き斜視断面図である。
【図６】図３に示すイオン発生素子の取り付け位置を示す一部切り欠き斜視断面図である。
【図７】図２に示す集塵ユニットの外観斜視図である。
【図８】図２に示す掃除機本体の縦断面図である。
【図９】実施形態１の掃除機本体における空気流の流れを示す説明図である。
【図１０】実施形態１の電気掃除機のバッテリ用の充電台の斜視図である。
【図１１】図１０に示す充電台を背面側から見た斜視図である。
【図１２】図１０に示す充電台にコードを挿通した状態を示す説明図である。
【図１３】実施形態１の充電台にコードを挿通して充電台を壁に設置した状態を示す説明図である。
【図１４】この発明の実施形態２の電気掃除機におけるイオン発生室の斜視図である。
【図１５】この発明の実施形態３の電気掃除機におけるイオン発生室の斜視図である。
【図１６】この発明の実施形態４の電気掃除機におけるイオン発生室の導出口の切換機構の説明図である。
【発明を実施するための形態】
【０００９】
この発明による電気掃除機は、吸引ホースおよび掃除機本体を備え、前記掃除機本体は、前記吸引ホースが接続され吸込んだ空気から塵埃を分離して集塵する集塵ユニットと、前記吸引ホースから前記集塵ユニットを介して空気を吸引して排出口から排出する電動送風機と、イオンを発生するイオン発生室とを備え、前記電動送風機、前記集塵ユニットおよび前記排出口は、前記集塵ユニットを間に挟んで配置され、前記イオン発生室は、前記吸引ホースと、前記集塵ユニットおよび前記電動送風機を結ぶ吸気路との近傍に配置され、前記吸引ホースを介して前記集塵ユニットにイオンを含む空気を供給する第１連通路と、前記吸気路を介して前記電動送風機にイオンを含む空気を供給する第２連通路とを有することを特徴とする。
【００１０】
以下、図面に示す実施形態に基づいて、この発明を詳述する。これによってこの発明が限定されるものではない。
【００１１】
（実施形態１）
〔掃除機本体の全体説明〕
図１は、この発明の実施形態１に係る電気掃除機の外観斜視図であり、図２は、実施形態１の電気掃除機における掃除機本体の斜視図であり、図３は、図２に示す掃除機本体の外観カバーを一部除いた状態を示す一部切り欠き斜視図であり、図４は、図３に示すイオン発生素子の取り付け位置を示す一部切り欠き斜視図であり、図５は、図３に示すイオン発生素子の取り付け位置を示す一部切り欠き斜視断面図であり、図６は、図３に示すイオン発生素子の取り付け位置を示す一部切り欠き斜視断面図である。
【００１２】
これらの図に示すように、電気掃除機１は、サイクロン方式の集塵ユニット５００を離脱可能に内蔵した掃除機本体１００と、吸引ホース部３００とを備える。
実施形態１では、サイクロン方式の電気掃除機１を例に説明するが、この発明は、サイクロン方式の電気掃除機に限られず、その他の方式の電気掃除機にも適用可能であり、例えば、紙パック方式の電気掃除機についても同様に適用可能である。
【００１３】
〔吸引ホース〕
吸引ホース部３００は、吸引ホース３０１と、吸引ホース３０１に接続される延長パイプ３０２と、延長パイプ３０２の先端に接続される吸入口体３０３と、手元ハンドル３０４と、手元ハンドル３０４に付設された操作部３０５と、ホース接続部３０６を備える。
【００１４】
吸引ホース３０１は接続部３０６を介して掃除機本体１００の前方に離脱可能に接続され、使用者は手元ハンドル３０４を手で保持しながら延長パイプ３０２の先端の吸入口体３０３を床面に接触させながら移動させることができる。
吸込口体３０３は、底面に吸込口を有すると共に、吸込口に回転ブラシを有している。なお、吸込口体３０３内にブラシ駆動モータを設けて回転ブラシを回転させるようにしてもよく、この場合、バッテリＢはブラシ駆動モータにも電力を供給する。
【００１５】
〔掃除機本体〕
掃除機本体１００は、複数の部材からなる前記筐体１０１を備えると共に、吸引ホース３０１が接続され旋回気流によって集塵する前記集塵ユニット５００と、集塵ユニット５００の前方に配置され吸引ホース３０１から集塵ユニット５００を介して空気を吸引する前記電動送風機１０６と、電動送風機１０６へ電力を供給するための前記バッテリＢと、電動送風機１０６と電気的に接続された回路基板Κ1、Κ2を筐体１０１の内部に備える。
【００１６】
さらに、掃除機本体１００は、前記筐体１０１の左右両側面に配置された一対の大型リング状の車輪１４０と、筐体１０１の前方下部に配置された小型ローラ形の前輪１１７と、筐体１０１の後方下部に配置された後輪としての回転・旋回自在なキャスターである自在車輪１１８とを有する。
【００１７】
自在車輪１１８は、車輪１１８ａと、車輪１１８ａを回転自在に保持する円盤形状の自在フレーム１１８ｂとを有し、筐体１０１の底壁に旋回自在に取り付けられている。なお、底壁には、自在車輪１１８の自在フレーム１１８ｂをボルト・ナット結合にて旋回自在に取り付けるための中心孔を有する円形凹部が形成されている。
【００１８】
この電気掃除機１において、使用者が手元ハンドル３０４を手で保持して移動するとき、掃除機本体１００はその動作に追随することができる。なお、掃除機本体１００が床面Ｇ上を走行可能に接地した状態において、前方とは掃除機本体１００を前進させる方向であり、後方とは掃除機本体１００を後退させる方向であり、上方とは床面Ｇと反対側の方向であり、下方とは床面Ｇ側の方向であり、左右方向とは前後方向に対して両側へ直交する方向である。
【００１９】
また、掃除機本体１００は、自由状態において一対の車輪１４０および後輪１１８によって支持され、図８に示す吸引ホース３０１にて前方へ引かれた状態において一対の車輪１４０および前輪１１７によって支持される。すなわち、自由状態では前輪１１７は床面Ｇから浮き上がり、図９に示す状態のときに自在車輪１１８は床面Ｇから浮き上がる。すなわち、このような状態となるように、掃除機本体１００の重心位置が設定されている。このようにすれば、掃除機本体１００の前方側の浮き上がりを抑えながら段差乗り越え性能を高めることができる。
【００２０】
また、図２と図３に示すように、掃除機本体１００の前面側には、吸引ホース部３００の接続部３０６を挿入させて横中継ダクト１０４ａとパッキン（図示省略）を介して接続させるための開口部１０７ａと、接続部３０６の端子（図示省略）を掃除機本体１００と接続するターミナル部１０７ｂとが設けられている。なお、掃除機本体１００の回路基板Κ1、Κ2と吸引ホース部３００の操作部３０５（図１参照）とは、吸引ホース部３００の接続部３０６の前記端子およびターミナル部１０７ｂを介した配線で接続される。
【００２１】
掃除機本体１００は、床面Ｇの塵挨を空気と共に吸込口体３０３から延長パイプ３０２と吸引ホース３０１を介して集塵ユニット５００へ吸引するようになっている。集塵ユニット５００の左右両側に前記は一対の車輪１４０のリング状車輪本体１１０が配されている。ユーザーは掃除機本体１００内部の集塵ユニット５００の集塵状況をリング状車輪本体１１０の中央開口１４１から目で確認し、適宜、集塵ユニット５００を掃除機本体１００の上部から引出して集塵ユニット５００に集められた塵挨を廃棄することができる。
【００２２】
また、掃除機本体１００は、筐体１０１の前方上部に手提げハンドル１１５を備えるので、使用者は手提げハンドル１１５を把持し、掃除機本体１００を持ち上げて運搬することが可能である。
【００２３】
バッテリＢは、丸みを有する直方体形であり、図示省略するが、その底面には正負極端子が設けられると共に、その左右側面には上下方向に延びる凸部Ｂｂが設けられている。
【００２４】
〔集塵ユニット〕
図７は図２に示す集塵ユニットの外観斜視図であり、図８は図２に示す掃除機本体の縦断面図である。
集塵ユニット５００は、カップカバーユニット５７０、フィルターユニット５５０、内筒ユニット５３０および有底円筒状のダストカップ５０１を有する。
【００２５】
ダストカップ５０１は集塵状況が外部から目視可能なように透明または半透明の樹脂で形成される。図７に示すようにダストカップ５０１の前部の周面には吸引ホース部３００（図１参照）からの空気流が流入する流入口５０３が設けられる。
【００２６】
図１〜図３および図５を参照すると、吸引ホース部３００の接続部３０６は、円筒状のダストカップ５０１の内部円周面にその接線方向から真直ぐに空気が流入するように掃除機本体１００の中心から偏って屈曲している。
【００２７】
図８を参照すると、内筒ユニット５３０は、フィルターユニット５５０を収容する上部のカップカバー５３７、下部のダスト仕切り５３５およびその間を接続する内筒５３３からなる。内筒５３３が接続されるカップカバー５３７の底部には開口が形成されている。内筒５３３の周にはスリット状の流出口５３３ｂが形成され、流出口５３３ｂにはメッシュ状のフィルター（図示省略）が配置されている。ダスト仕切５３５は内筒５３３より外径の大きいフランジ部５３５ａ、フランジ部の外周を囲む大径筒部５３５ｂおよびダストカップ５０１の底面中央部に下端が接する小径筒部５３５ｃからなる。
【００２８】
電動送風機１０６が作動すると、空気流は接続部３０６と横中継ダクト１０４ａ（図９参照）を介してダストカップ５０１に周接線方向に真直ぐに流入し、ダストカップ５０１内に高速の旋回気流を形成する。
【００２９】
これにより、空気流に含まれる塵埃が遠心分離される。集塵ユニット５００は、形成する旋回気流の中心軸が重力方向を向くように設置されているので、遠心分離された塵埃のうち、重いものは重力の作用によりフランジ部５３５ａの下方に集積される。
ここで、集塵ユニット５００の旋回気流の中心軸が重力方向を向くとは、旋回気流の中心軸が真下を向いている必要はなく、集塵ユニット５００が縦方向にて掃除機本体１００に配置されていればよい。
【００３０】
軽いものは空気流と共に流出口５３３ｂに配置されたメッシュ状フィルターで濾過される。また、微少な塵埃は流出口５３３ｂを介して内筒５３３を上昇しフィルターユニット５５０によりろ過される。フィルターユニット５５０は山部と谷部とが連続するプリーツ状フィルターから構成される。ろ過された空気流は流出ダクト５７１を介して電動送風機１０６へ吸引される。
なお、集塵ユニット５００は、塵埃を遠心分離して集塵するものであるがこれに限定するものではない。例えば、紙パックを使用して集塵するものでもよい。
【００３１】
〔イオン発生素子〕
図３〜図６、図８および図９に示すように、掃除機本体１００の前方上側、すなわち、集塵ユニット５００の前方、かつ、吸引ホース３０１の上方に、一対の電極を有したイオン発生素子ＩＧが設けられる。電極には交流波形またはインパルス波形から成る電圧が印加され、電極のコロナ放電により生成されたイオンが放出される。
イオン発生素子ＩＧから放出されるイオンは、負イオンと正イオンのどちらか一方、又はその両方でもよい。負イオンと正イオンの両方を放出する場合、特に優れた空気の浄化、殺菌あるいは消臭の効果がある。
【００３２】
イオン発生素子ＩＧからイオンを放出しないとき、図３、図５、図６、図８および図９に示すように、吸引ホース３０１からのイオンを含まない空気流ＦＬ１（黒の矢印で示される経路）は、接続部３０６を介して電動送風機１０６の上方を通って集塵ユニット５００内へ流入する。そして、集塵の遠心分離が行われた後、空気流は内筒５３３の内部を上昇し、フィルターユニット５５０を通過する。その後、イオン発生室１１４の近傍を通って空気流ＦＬ２が上方から電動送風機１０６内に流入する。
イオン発生素子ＩＧからイオンを放出したとき、イオン発生室１１４の外面の図示しない空気取入口からイオン発生室１１４へ流入した気流は、図３、図５、図８および図９の白の矢印の経路に示すように、イオンを含む空気流ＩＦＬ１が吸引ホース３０１から集塵ユニット５００へ吸引される空気流ＦＬ１と合流するか、あるいは、図３、図６、図８および図９の白の矢印の経路に示すように、イオンを含む空気流ＩＦＬ２が集塵ユニット５００から電動送風機１０６へと流れる空気流ＦＬ２と合流する。
【００３３】
イオンを含む空気流ＩＦＬ１が吸引ホース３０１内に流入した場合、集塵ユニット５００に吸引される空気流にイオンが含まれるため、集塵ユニット５００およびそのフィルターユニット５５０の除菌および脱臭を行うことができる。
【００３４】
また、イオンを含む空気流ＩＦＬ２が電動送風機１０６内に流入した場合、イオンを含む空気流は、下部流路１３８を経て、後部流路１３９内に流入し排気口１３３から外部に排出されるため、室内の除菌および脱臭が行われる。
【００３５】
また、イオン発生室１１４は、吸引ホース３０１から吸引された塵埃を含む空気の流れとは独立に配置され、電動送風機１０６によって生じた負圧によって、イオンを含む空気流ＩＦＬ１およびＩＦＬ２を供給するため、吸引３０１から吸引された空気中に含まれる塵埃がイオン発生素子に堆積することなく、適切なイオンの発生量を確保できる。
【００３６】
図９は実施形態１の掃除機本体１００における空気流の流路を示す説明図である。
図５および図９に示すように、吸引ホース３０１からの空気流は、接続部３０６を介して電動送風機１０６の上方を通って集塵ユニット５００へ流入する。
【００３７】
流入した空気流は集塵ユニット５００のダストカップ５０１内で旋回流となる。そして、集塵の遠心分離が行われた後、空気流は内筒５３３の内部を上昇し、フィルターユニット５５０を通過して電動送風機１０６を通り、集塵ユニット５００の下方の下部流路１３８に入る。旋回軸は鉛直方向に対して上方がやや後方へ傾いている。図９のように側面から見た場合、接続部３０６からダストカップ５０１へ流入する流路は旋回軸とほぼ直交している。
【００３８】
そして、空気流は下部流路１３８内を、回路基板Κ1、Κ2を冷却しながら通過した後、空気流は後部流路１３９内に流入し排気口１３３から外部へ排出する。
【００３９】
〔充電台〕
図１０は、実施形態１の電気掃除機のバッテリ用の充電台の斜視図であり、図１１は、図１０に示す充電台を背面側から見た斜視図であり、図１２は、図１０に示す充電台にコードを挿通した状態を示す説明図であり、図１３は、実施形態１の充電台にコードを挿通して充電台を壁に設置した状態を示す説明図である。
【００４０】
充電台６００は、バッテリＢを装着するために凹形状に形成されたバッテリ装着部６０１および表示部６０２を有する。
図１０（Ａ）に示すように、バッテリ装着部６０１の左右側壁６０１ｓは、リブによって形成された上下方向のガイド溝６０１ｇが形成されている。充電台６００へ上方からバッテリＢを装着する際、バッテリＢの左右一対の凸部Ｂｂがバッテリ装着部６０１の左右一対のガイド溝６０１ｇに摺接しながら嵌り込む。これにより、バッテリＢのバッテリ装着部６０１からの脱落が防止される。
【００４１】
バッテリ装着部６０１の底部には、バネによって上向きに付勢され、上下方向に摺動可能なバッテリ支持部６０１ｂが設けられている。バッテリ支持部６０１ｂには、バッテリＢの底面に設けられた正負極端子と電気的に接続可能な端子６０１ｃが設けられている。
【００４２】
図１０（Ｂ）に示すように、バッテリＢをバッテリ装着部６０１に装着したとき、バッテリＢの重みを受けて、バッテリ支持部６０１ｂが押し下げられて、バッテリ支持部６０１ｂの上面がバッテリ装着部６０１の底面と略同一面をなし、バッテリＢの正負極端子と端子６０１ｃとが電気的に接続される。
【００４３】
表示部６０２は、充電状態を表示するための表示部である。楕円形の表示ランプの色の変化によって、充電中か、充電が完了したかをユーザーに知らせる。
【００４４】
図１１に示すように、充電台６００の背面の隅には、電源コード６０３の電源プラグを収容する凹部６０３ｃが形成されている。
また、充電台６００の背面側の底部には、電源コード６０３を挿通するための左右方向の溝部６０３ｇが形成されている。充電台６００の背面には、底面側に伸びる方向に延設された延設面６０３ｅ１が設けられ、また、充電台の底面には、背面側に伸びる方向に延設された延設面６０３ｅ２が設けられている。延設面６０３ｅ１および６０３ｅ２は、左右方向に伸びる溝部６０３ｇを一定の間隔を開けて交互に覆うように設けられている。これにより、溝部６０３ｇに挿通された電源コード６０３が溝部６０３ｇから外れることが防止される。
【００４５】
図１２に示すように、電源コード６０３は、凹部６０３ｃから溝部６０３ｇを通さずに直接、電源コード６０３ａのよう引き出すことができ、また凹部６０３ｃから溝部６０３ｇを通して、電源コード６０３ｂのように引き出すこともできる。
【００４６】
図１３（Ａ）に示すように、充電台６００を壁の隅に置いた場合でも、電源コード６０３を壁に当てることなく、引き出すことが可能となる。また、図１３（Ｂ）に示すように、充電台６００を左右逆方向にして設置しても、壁に当たらずに電源コード６０３を引き出すことができる。
【００４７】
（実施形態２）
図１４は、この発明の実施形態２の電気掃除機１におけるイオン発生室１１４の斜視図である。
【００４８】
実施形態２では、イオン発生室１１４の後側表面に空気を導入するための２つの導入口ＥＮ１およびＥＮ２が設けられている。また、イオン発生素子ＩＧは、イオンを含む空気流ＩＦＬを吸引ホース３０１に連通する導出口ＥＸ１およびイオンを含む空気流ＩＦＬを電動送風機１０６に連通する導出口ＥＸ２と、２つの導入口ＥＮ１およびＥＮ２との間に設置される。
【００４９】
このような配置により、導入口ＥＮ１およびＥＮ２から導入された空気流は、イオン発生素子ＩＧの表面の電極を通るため、イオン発生素子ＩＧから発生した空気流を効率的に、導出口ＥＸ１およびＥＸ２に供給することができる。
【００５０】
なお、実施形態２の導入口ＥＮの数や位置、導出口ＥＸ１およびＥＸ２の位置に限定されるものではない。
【００５１】
（実施形態３）
また、イオン発生室１１４を掃除機本体１００に組み込んだときに自然に生じる隙間を導入口ＥＮの代わりにしてもよい。
このようにすれば、導入口ＥＮを設けなくとも、自然に生じる隙間をそのまま利用することができ、コストダウンにつながる。
【００５２】
（実施形態４）
また、イオン発生素子ＩＧは１つに限らず、２つ以上であってもよい。
例えば、平行に配置された２つ以上のイオン発生素子の間を、イオンを含む空気流が流れるようにしてもよい。
このようにすれば、より効果的にイオンを含む空気流を発生させることができる。
【００５３】
（実施形態５）
図１５は、この発明の実施形態５の電気掃除機１におけるイオン発生室１１４の斜視図である。
【００５４】
実施形態５では、イオン発生室１１４の前面左側の表面に空気を導入するための導入口ＥＮが設けられている。また、２つの導出口ＥＸ１およびＥＸ２と、イオン発生素子ＩＧとの間には、イオン発生室１１４の左側および上側を流れる空気流を遮断する仕切り板ＢＬが設けられる。さらに、導入口ＥＮは、仕切り板ＢＬの隙間から遠ざかる位置に配置され、導入口ＥＮと、仕切り板ＢＬの隙間とを結ぶ経路上に、イオン発生素子ＩＧが配置される。
【００５５】
このような配置により、導入口ＥＮから導入された空気流は、イオン発生素子ＩＧの表面の電極を左側から右側に向かって通った後、イオン発生室１１４の右側の隙間を通って、導入口ＥＸ１およびＥＸ２に至るため、イオン発生素子ＩＧから発生した空気流を効率的に、導出口ＥＸ１およびＥＸ２に供給することができる。
【００５６】
（実施形態６）
図１６は、この発明の実施形態４の電気掃除機１におけるイオン発生室１１４の導出口ＥＸ１，ＥＸ２の切換機構の説明図である。
【００５７】
実施形態６では、イオン発生室１１４の後側表面に２つの導出口ＥＸ１およびＥＸ２を切り換えるための切換部ＳＷが設けられている。切換部ＳＷの表面には、空気流を通すための開口部ＯＰ１およびＯＰ２が設けられており、イオン発生室１１４の後側表面に対して切換部ＳＷを左右方向（図１６の黒矢印方向）に摺動可能に設けられる。ただし、開口部ＯＰ１が導出口ＥＸ１に一致したときは、開口部ＯＰ２が導出口ＥＸ２に一致せず、開口部ＯＰ２が導出口ＥＸ２に一致したときは、開口部ＯＰ１が導出口ＥＸ１に一致しないように、開口部ＯＰ１およびＯＰ２を設ける。
【００５８】
このような配置により、簡単な切り換え機構で、イオンを含む空気流を導出口ＥＸ１またはＥＸ２に選択的に供給することができる。また、切り換え機構が電気掃除機１の前面上部にあるため、手動スイッチの場合、ユーザーが操作しやすい部位にスイッチを設けることができる。また、自動スイッチの場合は、電気的な配線や接続が複雑にならない。
【００５９】
（実施形態７）
また、導出口ＥＸを１つにして、連通路を途中で分岐して集塵ユニット５００または電動送風機１０６に分岐する構造において、分岐した連通路のいずれか一方を開放し、いずれか一方を閉鎖する切換機構を用いるものであってもよい。
【００６０】
このようにすれば、導入口ＥＮから導出口ＥＸへの空気の流れを１つに定めることができ、イオンの発生効率の経路による違いをなくすことができる。
また、切換部ＳＷを連通路に設けることにより、イオン発生室１１４のコストダウンになり、イオン発生室の取り換えやメンテナンス作業も容易になる。
【００６１】
（実施形態８）
実施形態８では、イオン発生室１１４を電気掃除機１の筐体１０１から着脱可能に設ける。
このようにすれば、イオン発生室１１４をモジュール化することができ、イオン発生素子の交換が容易になるため、手軽にメンテナンスができる。
また、電気掃除機１の掃除機本体１００の形状の違いや種類の違いの影響を受けにくくなるため、電気掃除機１のモデルの種類によらず、イオン発生室１１４を共通に利用することが可能となる。
【００６２】
（まとめ）
この発明の電気掃除機は、吸引ホースおよび掃除機本体を備え、前記掃除機本体は、前記吸引ホースが接続され吸込んだ空気から塵埃を分離して集塵する集塵ユニットと、前記吸引ホースから前記集塵ユニットを介して空気を吸引して排出口から排出する電動送風機と、イオンを発生するイオン発生室とを備え、前記電動送風機、前記集塵ユニットおよび前記排出口は、前記集塵ユニットを間に挟んで配置され、前記イオン発生室は、前記吸引ホースと、前記集塵ユニットおよび前記電動送風機を結ぶ吸気路との近傍に配置され、前記吸引ホースを介して前記集塵ユニットにイオンを含む空気を供給する第１連通路と、前記吸気路を介して前記電動送風機にイオンを含む空気を供給する第２連通路とを有する。
この発明の電気掃除機は、次のように構成されてもよい。
【００６３】
（１）前記イオン発生室は、前記吸引ホースの上部かつ前記集塵ユニットの前部に設けられ、少なくとも１つのイオン発生素子、外部から空気を導入するための導入口、前記第１連通路に通じる第１導出口および前記第２連通路に通じる第２導出口を備え、前記イオン発生素子は、前記導入口と、前記第１導出口および前記第２導出口との間に設置されるものであってもよい。
このようにすれば、イオン発生室の導入口から導出路を流れる空気の流れがイオン発生素子を通るようになるため、イオン発生素子から発生したイオンを含む空気を効率的に供給することができる。
【００６４】
（２）  前記イオン発生室は、空気流を一部遮断する仕切り板を備え、前記仕切り板は、前記イオン発生素子と、前記第１導出口および前記第２導出口との間において、前記導入口から前記第１導出口および前記第２導出口に直線状に流れる空気流を遮断する位置に設けられるものであってもよい。
このようにすれば、イオン発生室の導入口から第１導出口および第２導出口に直線状に流れる空気の流れが仕切り板により遮断されるため、イオン発生素子を通る空気の流れが増加し、イオン発生素子から発生したイオンを含む空気を効率的に供給することができる。
【００６５】
（３）前記イオン発生室は、前記掃除機本体に着脱可能に設けられるものであってもよい。
このようにすれば、イオン発生室をモジュール化することができ、イオン発生素子の交換が容易になるため、手軽にメンテナンスができる。
【００６６】
（４）前記イオン発生室は、イオンを含む空気流を前記集塵ユニットまたは前記吸引ホースのいずれか一方に選択的に供給するための切換部を備えるものであってもよい。
このようにすれば、掃除機本体の上部に切換機構を設けることができるため、手動スイッチの場合は、ユーザーが操作しやすい部位にスイッチを設けることができ、また、自動スイッチの場合は、電気的な配線や接続が複雑にならない。
【００６７】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００６８】
１：電気掃除機
１００：掃除機本体
１０６：電動送風機
１１４：イオン発生室
３０１：吸引ホース
５００：集塵ユニット
ＢＬ：仕切り板
ＥＮ，ＥＮ１，ＥＮ２：導入口
ＥＸ，ＥＸ１，ＥＸ２：導出口
ＦＬ１，ＦＬ２：空気流
ＩＧ：イオン発生素子
ＩＦＬ，ＩＦＬ１，ＩＦＬ２：イオンを含む空気流
ＳＷ：切換部
【図１】
2015159977.tif 000003
【図２】
2015159977.tif 000004
【図３】
2015159977.tif 000005
【図４】
2015159977.tif 000006
【図５】
2015159977.tif 000007
【図６】
2015159977.tif 000008
【図７】
2015159977.tif 000009
【図８】
2015159977.tif 000010
【図９】
2015159977.tif 000011
【図１０】
2015159977.tif 000012
【図１１】
2015159977.tif 000013
【図１２】
2015159977.tif 000014
【図１３】
2015159977.tif 000015
【図１４】
2015159977.tif 000016
【図１５】
2015159977.tif 000017
【図１６】
2015159977.tif 000018